(57)【特許請求の範囲】
【請求項１】
定電流源と、
前記定電流源に接続された電源経路に並列接続された複数の面発光モジュールとを備え、前記複数の面発光モジュールの各々は、他の面発光モジュールのうちの少なくとも１つに隣接して配置されており、
前記複数の面発光モジュールのうちの１つを順次選択するための同期信号を生成する生成部を備え、
前記複数の面発光モジュールの各々は、
前記定電流源と基準電位との間に並列接続された複数の発光ユニットと、
前記複数の発光ユニットの、前記定電流源と前記基準電位との間のそれぞれの経路を個別に導通または遮断するスイッチ部と、
前記スイッチ部を駆動して、前記定電流源と前記基準電位との間の複数の経路のうちの１つを順次導通する発光制御部とを含み、
前記複数の面発光モジュールの各々に含まれる前記発光制御部は、前記同期信号による自モジュールの選択に応答して、対応する前記スイッチ部の駆動を開始し、
前記複数の面発光モジュールの各々に含まれる前記複数の発光ユニットは、行列状に配置され、
前記複数の面発光モジュールの各々に含まれる前記スイッチ部は、
行列状に配置された前記複数の発光ユニットのそれぞれの列に対応付けられた複数のスイッチ素子からなる第１群のスイッチ素子と、
行列状に配置された前記複数の発光ユニットのそれぞれの行に対応付けられた複数のスイッチ素子からなる第２群のスイッチ素子とを含み、
前記第１群のスイッチ素子の各々は、対応する列に配置された複数の発光ユニットの一端を一括して前記定電流源に接続可能に構成されており、
前記第２群のスイッチ素子の各々は、対応する行に配置された複数の発光ユニットの他端を一括して前記基準電位に接続可能に構成されており、
前記複数の面発光モジュールの各々に含まれる前記発光制御部は、前記第１群のスイッチ素子のうち１つと前記第２群のスイッチ素子のうちの１つとからなる複数の組み合わせのうち、順次選択される組み合わせに対応する２つのスイッチ素子を順次駆動する、照明装置。
【請求項２】
定電流源と、
前記定電流源に接続された電源経路に並列接続された複数の面発光モジュールとを備え、前記複数の面発光モジュールの各々は、他の面発光モジュールのうちの少なくとも１つに隣接して配置されており、
前記複数の面発光モジュールのうちの１つを順次選択するための同期信号を生成する生成部を備え、
前記複数の面発光モジュールの各々は、
前記定電流源と基準電位との間に並列接続された複数の発光ユニットと、
前記複数の発光ユニットの、前記定電流源と前記基準電位との間のそれぞれの経路を個別に導通または遮断するスイッチ部と、
前記スイッチ部を駆動して、前記定電流源と前記基準電位との間の複数の経路のうちの１つを順次導通する発光制御部とを含み、
前記複数の面発光モジュールの各々に含まれる前記発光制御部は、前記同期信号による自モジュールの選択に応答して、対応する前記スイッチ部の駆動を開始し、
前記生成部は、複数の前記発光制御部のうちの１つに組み込まれており、
前記生成部が組み込まれた第１の面発光モジュールから隣接する第２の面発光モジュールに含まれる発光制御部へ前記同期信号が伝送されるように構成されており、
前記第２の面発光モジュールから隣接する第３の面発光モジュールに含まれる発光制御部へ前記同期信号がさらに伝送されるように構成されている、照明装置。
【請求項３】
定電流源と、
前記定電流源に接続された電源経路に並列接続された複数の面発光モジュールとを備え、前記複数の面発光モジュールの各々は、他の面発光モジュールのうちの少なくとも１つに隣接して配置されており、
前記複数の面発光モジュールのうちの１つを順次選択するための同期信号を生成する生成部を備え、
前記複数の面発光モジュールの各々は、
前記定電流源と基準電位との間に並列接続された複数の発光ユニットと、
前記複数の発光ユニットの、前記定電流源と前記基準電位との間のそれぞれの経路を個別に導通または遮断するスイッチ部と、
前記スイッチ部を駆動して、前記定電流源と前記基準電位との間の複数の経路のうちの１つを順次導通する発光制御部とを含み、
前記複数の面発光モジュールの各々に含まれる前記発光制御部は、前記同期信号による自モジュールの選択に応答して、対応する前記スイッチ部の駆動を開始し、
前記生成部は、前記同期信号として、順次選択される発光制御部の識別情報を示す信号を出力し、
前記複数の面発光モジュールの各々に含まれる前記発光制御部は、予め格納された自モジュールを識別する識別情報と、前記同期信号に含まれる前記識別情報とが一致すると、対応する前記スイッチ部の駆動を開始する、照明装置。
【請求項４】
前記複数の面発光モジュールの各々に含まれる前記発光制御部は、前記定電流源と前記基準電位との間のそれぞれの経路を導通させる時間が互いに同じになるように前記スイッチ部を駆動する、請求項１〜３のいずれか１項に記載の照明装置。
【請求項５】
前記複数の面発光モジュールの各々に含まれる前記スイッチ部は、各発光ユニットの前記定電流源と前記基準電位との間のそれぞれの経路に各々介挿された複数のスイッチ素子を有し、
前記複数の面発光モジュールの各々に含まれる前記発光制御部は、前記同期信号による自モジュールの選択に応答して、対応する前記複数のスイッチ素子の１つの順次駆動を開始する、請求項１〜４のいずれか１項に記載の照明装置。
【請求項６】
前記複数の発光ユニットの各々は、互いに直列に接続された複数の発光素子を含む、請求項１〜５のいずれか１項に記載の照明装置。
【請求項７】
前記定電流源は、前記複数の面発光モジュールの外部に配置されている、請求項１〜６のいずれか１項に記載の照明装置。
【請求項８】
前記複数の面発光モジュールの各々に含まれる前記発光制御部は、前記複数の面発光モジュールの各々に含まれる前記複数の発光ユニットの外部に配置されている、請求項１〜７のいずれか１項に記載の照明装置。
【請求項９】
前記複数の発光ユニットの各々は、
別の発光ユニットと電気的に接続可能な、前記定電流源からの電流を遣り取りするための第１のコネクタと、
さらに別の発光ユニットと電気的に接続可能な、前記定電流源からの電流を遣り取りするための第２のコネクタとを含む、請求項１〜８のいずれか１項に記載の照明装置。
【請求項１０】
前記複数の発光ユニットの１つは、前記定電流源と電気的に接続が可能な電源コネクタを含む、請求項１〜９のいずれか１項に記載の照明装置。
【請求項１１】
照明装置を制御するための制御方法であって、
前記照明装置は、
定電流源と、
前記定電流源に接続された電源経路に並列接続された複数の面発光モジュールとを備え、
前記複数の面発光モジュールの各々は、
他の面発光モジュールのうちの少なくとも１つに隣接して配置されており、
前記定電流源と基準電位との間に並列接続された複数の発光ユニットと、
前記複数の発光ユニットの、前記定電流源と前記基準電位との間のそれぞれの経路を個別に導通または遮断するスイッチ部とを含み、
前記複数の面発光モジュールの各々に含まれる前記複数の発光ユニットは、行列状に配置され、
前記複数の面発光モジュールの各々に含まれる前記スイッチ部は、
行列状に配置された前記複数の発光ユニットのそれぞれの列に対応付けられた複数のスイッチ素子からなる第１群のスイッチ素子と、
行列状に配置された前記複数の発光ユニットのそれぞれの行に対応付けられた複数のスイッチ素子からなる第２群のスイッチ素子とを含み、
前記第１群のスイッチ素子の各々は、対応する列に配置された複数の発光ユニットの一端を一括して前記定電流源に接続可能に構成されており、
前記第２群のスイッチ素子の各々は、対応する行に配置された複数の発光ユニットの他端を一括して前記基準電位に接続可能に構成されており、
前記制御方法は、
前記複数の面発光モジュールのうちの１つを順次選択するための同期信号を生成することと、
前記同期信号による自モジュールの選択に応答して、前記第１群のスイッチ素子のうち１つと前記第２群のスイッチ素子のうちの１つとからなる複数の組み合わせのうち、順次選択される組み合わせに対応する２つのスイッチ素子を順次駆動し、前記定電流源と前記基準電位との間の複数の経路のうちの１つを順次導通することとを含む、制御方法。
【発明の詳細な説明】
【技術分野】
【０００１】
本開示は、照明装置に関し、特に、複数の面発光モジュールからなる照明装置に関する。
【背景技術】
【０００２】
従来、ＯＬＥＤ（Organic  Light  Emitting  Diode）やＬＥＤ（Light  Emitting  Diode）といった発光素子の点灯を制御するための技術が知られている。たとえば、特開２０１２−６４７６１号公報（特許文献１）は、複数のＬＥＤチップの各々に含まれる複数のＬＥＤの各々を点灯駆動するための制御信号を生成するロジック部と、ロジック部で生成した制御信号に基づいて複数のＬＥＤを点灯駆動するバッファ部とから構成される点灯駆動装置を開示している。
【先行技術文献】
【特許文献】
【０００３】
【特許文献１】特開２０１２−６４７６１号公報
【発明の概要】
【発明が解決しようとする課題】
【０００４】
ＯＬＥＤやＬＥＤを照明装置として応用しようとすると、典型的には、複数の発光素子からなる面発光モジュールを必要な数だけ配置する必要がある。このような照明装置への応用における問題の一つが電源である。すなわち、多数の面発光モジュールのそれぞれに電源を配置するような構成を採用すれば、それらの電源のスペースを確保することが難しくなり、一方、単一の電源で多数の面発光モジュールを同時に駆動するような構成を採用すれば、非常に大きな容量を有する電源が必要になる。【０００５】
特開２０１２−６４７６１号公報に開示されている点灯駆動装置は、画像形成装置の印字ヘッドとして、多数のＬＥＤを点灯することが想定されているに過ぎず、かつ、基本的には電源ラインとグランドラインとの間に１つのＬＥＤしか接続されない構成が想定されているに過ぎない。そのため、上述のような、多数の面発光モジュールからなる照明装置へのＯＬＥＤまたはＬＥＤを応用する場合の電源の問題を何ら解決するものではない。【０００６】
この開示は上述のような問題点を解決するためになされたものであって、ある局面における目的は、多数の面発光モジュールからなる照明装置を構成した場合であっても、要求される電源容量を低減できるとともに、その配置場所もコンパクト化できる構成を実現することである。
【課題を解決するための手段】
【０００７】
一実施の形態に従うと、照明装置は、定電流源と、定電流源に接続された電源経路に並列接続された複数の面発光モジュールとを備える。複数の面発光モジュールの各々は、他の面発光モジュールのうちの少なくとも１つに隣接して配置されている。照明装置は、複数の面発光モジュールのうちの１つを順次選択するための同期信号を生成する生成部を備える。複数の面発光モジュールの各々は、定電流源と基準電位との間に並列接続された複数の発光ユニットと、複数の発光ユニットの、定電流源と基準電位との間のそれぞれの経路を個別に導通または遮断するスイッチ部と、スイッチ部を駆動して、定電流源と基準電位との間の複数の経路のうちの１つを順次導通する発光制御部とを含む。複数の面発光モジュールの各々に含まれる発光制御部は、同期信号による自モジュールの選択に応答して、対応するスイッチ部の駆動を開始する。複数の面発光モジュールの各々に含まれる複数の発光ユニットは、行列状に配置される。複数の面発光モジュールの各々に含まれるスイッチ部は、行列状に配置された複数の発光ユニットのそれぞれの列に対応付けられた複数のスイッチ素子からなる第１群のスイッチ素子と、行列状に配置された複数の発光ユニットのそれぞれの行に対応付けられた複数のスイッチ素子からなる第２群のスイッチ素子とを含む。第１群のスイッチ素子の各々は、対応する列に配置された複数の発光ユニットの一端を一括して定電流源に接続可能に構成されている。第２群のスイッチ素子の各々は、対応する行に配置された複数の発光ユニットの他端を一括して基準電位に接続可能に構成されている。複数の面発光モジュールの各々に含まれる発光制御部は、第１群のスイッチ素子のうち１つと第２群のスイッチ素子のうちの１つとからなる複数の組み合わせのうち、順次選択される組み合わせに対応する２つのスイッチ素子を順次駆動する。
【０００８】
好ましくは、照明装置は、定電流源と、定電流源に接続された電源経路に並列接続された複数の面発光モジュールとを備える。複数の面発光モジュールの各々は、他の面発光モジュールのうちの少なくとも１つに隣接して配置されている。複数の面発光モジュールのうちの１つを順次選択するための同期信号を生成する生成部を備える。複数の面発光モジュールの各々は、定電流源と基準電位との間に並列接続された複数の発光ユニットと、複数の発光ユニットの、定電流源と基準電位との間のそれぞれの経路を個別に導通または遮断するスイッチ部と、スイッチ部を駆動して、定電流源と基準電位との間の複数の経路のうちの１つを順次導通する発光制御部とを含む。複数の面発光モジュールの各々に含まれる発光制御部は、同期信号による自モジュールの選択に応答して、対応するスイッチ部の駆動を開始する。生成部は、複数の発光制御部のうちの１つに組み込まれている。生成部が組み込まれた第１の面発光モジュールから隣接する第２の面発光モジュールに含まれる発光制御部へ同期信号が伝送されるように構成されている。第２の面発光モジュールから隣接する第３の面発光モジュールに含まれる発光制御部へ同期信号がさらに伝送されるように構成されている。
【０００９】
好ましくは、照明装置は、定電流源と、定電流源に接続された電源経路に並列接続された複数の面発光モジュールとを備える。複数の面発光モジュールの各々は、他の面発光モジュールのうちの少なくとも１つに隣接して配置されている。複数の面発光モジュールのうちの１つを順次選択するための同期信号を生成する生成部を備える。複数の面発光モジュールの各々は、定電流源と基準電位との間に並列接続された複数の発光ユニットと、複数の発光ユニットの、定電流源と基準電位との間のそれぞれの経路を個別に導通または遮断するスイッチ部と、スイッチ部を駆動して、定電流源と基準電位との間の複数の経路のうちの１つを順次導通する発光制御部とを含む。複数の面発光モジュールの各々に含まれる発光制御部は、同期信号による自モジュールの選択に応答して、対応するスイッチ部の駆動を開始する。生成部は、同期信号として、順次選択される発光制御部の識別情報を示す信号を出力する。複数の面発光モジュールの各々に含まれる発光制御部は、予め格納された自モジュールを識別する識別情報と、同期信号に含まれる識別情報とが一致すると、対応するスイッチ部の駆動を開始する。
【００１０】
好ましくは、複数の面発光モジュールの各々に含まれる発光制御部は、定電流源と基準電位との間のそれぞれの経路を導通させる時間が互いに同じになるようにスイッチ部を駆動する。
【００１１】
好ましくは、複数の面発光モジュールの各々に含まれるスイッチ部は、各発光ユニットの定電流源と基準電位との間のそれぞれの経路に各々介挿された複数のスイッチ素子を有しする。複数の面発光モジュールの各々に含まれる発光制御部は、同期信号による自モジュールの選択に応答して、対応する複数のスイッチ素子の１つの順次駆動を開始する。
【００１３】
好ましくは、複数の発光ユニットの各々は、互いに直列に接続された複数の発光素子を含む。【００１４】
好ましくは、定電流源は、複数の面発光モジュールの外部に配置されている。
好ましくは、複数の面発光モジュールの各々に含まれる発光制御部は、複数の面発光モジュールの各々に含まれる複数の発光ユニットとは異なる位置に配置されている。【００１５】
好ましくは、複数の発光ユニットの各々は、別の発光ユニットと電気的に接続可能な、定電流源からの電流を遣り取りするための第１のコネクタと、さらに別の発光ユニットと電気的に接続可能な、定電流源からの電流を遣り取りするための第２のコネクタとを含む。【００１６】
好ましくは、複数の発光ユニットの１つは、定電流源と電気的に接続が可能な電源コネクタを含む。【００１７】
他の実施の形態に従うと、照明装置を制御するための制御方法が提供される。照明装置は、定電流源と、定電流源に接続された電源経路に並列接続された複数の面発光モジュールとを備える。複数の面発光モジュールの各々は、他の面発光モジュールのうちの少なくとも１つに隣接して配置されている。定電流源と基準電位との間に並列接続された複数の発光ユニットと、複数の発光ユニットの、定電流源と基準電位との間のそれぞれの経路を個別に導通または遮断するスイッチ部とを含む。複数の面発光モジュールの各々に含まれる複数の発光ユニットは、行列状に配置されている。複数の面発光モジュールの各々に含まれるスイッチ部は、行列状に配置された複数の発光ユニットのそれぞれの列に対応付けられた複数のスイッチ素子からなる第１群のスイッチ素子と、行列状に配置された複数の発光ユニットのそれぞれの行に対応付けられた複数のスイッチ素子からなる第２群のスイッチ素子とを含む。第１群のスイッチ素子の各々は、対応する列に配置された複数の発光ユニットの一端を一括して定電流源に接続可能に構成されている。第２群のスイッチ素子の各々は、対応する行に配置された複数の発光ユニットの他端を一括して基準電位に接続可能に構成されている。制御方法は、複数の面発光モジュールのうちの１つを順次選択するための同期信号を生成することと、同期信号による自モジュールの選択に応答して、第１群のスイッチ素子のうち１つと第２群のスイッチ素子のうちの１つとからなる複数の組み合わせのうち、順次選択される組み合わせに対応する２つのスイッチ素子を順次駆動し、定電流源と基準電位との間の複数の経路のうちの１つを順次導通することとを含む。
【発明の効果】
【００１８】
ある局面において、多数の面発光モジュールからなる照明装置を構成した場合であっても、要求される電源容量を低減できるとともに、その配置場所もコンパクト化できる。【００１９】
本発明の上記および他の目的、特徴、局面および利点は、添付の図面と関連して理解される本発明に関する次の詳細な説明から明らかとなるであろう。
【図面の簡単な説明】
【００２０】
【図１】関連技術に従う照明装置の外観を示す図である。
【図２】関連技術に従う面発光モジュールにおける発光面の反対側の面を示す平面図である。
【図３】図２中のＩＩＩ−ＩＩＩ線に沿った関連技術に従う面発光モジュールの矢視断面図である。
【図４】第１の実施の形態に従う照明装置が発光している様子を表している図である。
【図５】第１の実施の形態に従う照明装置の基本的な構成を示す回路図である。
【図６】第１の実施の形態に従う面発光モジュールにおける発光面の反対側の面を示す平面図である。
【図７】第１の実施の形態に従う、図６中のＶＩＩ−ＶＩＩ線に沿った面発光モジュールの矢視断面図である。
【図８】第１の実施の形態の変形例に従う面発光モジュールにおける発光面の反対側の面を示す平面図である。
【図９】第１の実施の形態の変形例に従う面発光モジュールの回路図である。
【図１０】第１の実施の形態の変形例に従う面発光モジュールの外観を示すための図である。
【図１１】第１の実施の形態の変形例に従う面発光モジュールのタイミングチャートを示す図である。
【図１２】第１の実施の形態の変形例に従う面発光モジュールの外観を示すための図である。
【図１３】第１の実施の形態に従う照明装置の外観を示すための図である。
【図１４】第１の実施の形態に従う照明装置の回路図である。
【図１５】第１の実施の形態に従う照明装置のタイミングチャートを示す図である。
【図１６】第２の実施の形態に従う照明装置の外観を示すための図である。
【図１７】第３の実施の形態に従う照明装置の外観を示すための図である。
【図１８】第４の実施の形態に従う照明装置の回路図である。
【図１９】第１〜第４の実施の形態に従う照明装置が実行する処理の一部を表わすフローチャートである。
【発明を実施するための形態】
【００２１】
以下、図面を参照しつつ、本実施の形態について説明する。以下の説明では、同一の部品および構成要素には同一の符号を付してある。それらの名称および機能も同じである。したがって、これらについての詳細な説明は繰り返さない。なお、以下で説明される各実施の形態、および／または各変形例は、選択的に組み合わされてもよい。
【００２２】
［関連技術］
（照明装置５０）
まず、本発明に係る実施の形態についての理解を深めるために、図１を参照して、本願に係る関連技術に従う照明装置５０について説明する。図１は、関連技術に従う照明装置５０の外観を示す図である。図１には、発光面の裏側を示している。
【００２３】
照明装置５０は、面発光モジュール２０＿１〜２０＿４を含む。面発光モジュール２０＿１〜２０＿４の各々は、４枚の発光ユニット１０と、基板１２０とを含む。図示上の便宜のため、発光ユニット１０は、点線を用いて透過的に図示されている。基板１２０には、コネクタ１３１〜１３４，１４１，１５２と、発光制御回路１５０とが実装されている。
【００２４】
面発光モジュール２０＿１〜２０＿４の各々は、コネクタ１３１〜１３４のいずれかを介して互いに電気的に接続される。これにより、定電流源から出力される電流が面発光モジュール２０＿１〜２０＿４の各々に印加される。
【００２５】
図１の例においては、面発光モジュール２０＿１および面発光モジュール２０＿２は、面発光モジュール２０＿１のコネクタ１３２と面発光モジュール２０＿２のコネクタ１３４とに接続されているケーブル３２０を介して互いに電気的に接続されている。面発光モジュール２０＿２および面発光モジュール２０＿３は、面発光モジュール２０＿２のコネクタ１３３と面発光モジュール２０＿３のコネクタ１３１とに接続されているケーブル３２０を介して互いに電気的に接続されている。面発光モジュール２０＿３および面発光モジュール２０＿４は、面発光モジュール２０＿３のコネクタ１３４と面発光モジュール２０＿４のコネクタ１３２とに接続されているケーブル３２０を介して互いに電気的に接続されている。
【００２６】
また、コネクタ１３１〜１３４は、定電流源に電気的に接続することができる。定電流源から出力される電流は、発光制御回路１５０、コネクタ１５２、発光ユニット１０の順に流れる。発光制御回路１５０は、たとえば、ＩＣ（Integrated  Circuit）などである。発光制御回路１５０は、電流が印加されると、発光ユニット１０を順次発光させる。発光制御回路１５０は、たとえば、各発光ユニット１０を１００Ｈｚ以上で発光させる。このように高速に発光ユニット１０＿１〜１０＿４を駆動することで、人の目には照明装置５０全体が発光しているように見える。
【００２７】
関連技術に係る発光制御回路１５０の各々は、それぞれが協調せずに個別に動作する。このため、各発光ユニット１０は、並列に接続されている場合には、同時に発光する可能性がある。各発光ユニットが並列に接続されている場合には、印加された電流が分流する可能性があり、発光ユニット間で輝度差（以下、「輝度ムラ」ともいう。）が生じる。以下で説明する実施の形態は、このような輝度ムラを改善することができる。
【００２８】
（面発光モジュール２０）
図２および図３を参照して、面発光モジュールについてさらに詳細に説明する。図２は、面発光モジュール２０における発光面の反対側の面を示す平面図である。図３は、図２中のＩＩＩ−ＩＩＩ線に沿った矢視断面図である。なお、図２の面発光モジュール２０は、図１における面発光モジュール２０＿１〜２０＿４と同一のものである。
【００２９】
図２に示されるように、面発光モジュール２０は、発光ユニット１０と、保持部材１１０と、基板１２０と、配線部材１６１とを含む。
【００３０】
発光ユニット１０は、たとえば、２×２の行列状（マトリックス状）に配列され、面方向に沿うように面状（同一平面上）に配置されている。４枚の発光ユニット１０の各々は、外周が略正方形状に形成され、同一の構成を有している。発光ユニット１０の各々は、たとえば、両面テープなどを用いて保持部材１１０の表面に取り付けられる。典型的には、発光ユニット１０の各々は、面状の有機ＥＬなどから構成されている。
【００３１】
コネクタ１５２には、陽極用の電源経路１９１および陰極用の電源経路１９２がそれぞれ接続される。電源経路１９１，１９２は、配線部材１６１に接続され、配線部材１６１に設けられた配線パターンおよび電極部材１７１，１７２を介して発光ユニット１０に電気的に接続される。定電流源から出力される電流は、発光制御回路１５０、コネクタ１５２、配線部材１６１および電極部材１７１，１７２を介して、発光ユニット１０に印加される。
【００３２】
図３を参照して、図１中のＩＩＩ−ＩＩＩ線に沿った面発光モジュール２０の矢視断面について説明する。保持部材１１０周囲には、電極取出部１７３（陽極用）と、電極取出部１７４（陰極用）とが配置される。電極部材１７１（陽極）は、電極取出部１７３と、電極取出部１７３から起立する棒状部１７５とを有する。電極部材１７２（陰極）は、電極取出部１７４と、電極取出部１７４から起立する棒状部１７６とを有する。
【００３３】
配線部材１６１は、２枚のＬ字形状を１組として、配線部材１６１の端部同士が対向し、発光ユニット１０の外周に沿うように略正方形状に配置される。配線部材１６１はそれぞれ、配線パターンを有している。電極部材１７１，１７２の棒状部１７５，１７６は、配線部材１６１の配線パターンに接続される。
【００３４】
電極部材１７１と電極部材１７２との間に電圧を印加することにより発光ユニット１０は発光する。電極部材１７１（陽極）は、他の電極部材１７１（陽極）と電気的に接続できる。また、電極部材１７２（陰極）は、他の電極部材１７２（陰極）に電気的に接続される。この接続により、各発光ユニット１０は並列接続される。
【００３５】
［第１の実施の形態］
＜概要＞
（動作概要）
図４を参照して、第１の実施の形態に従う照明装置１００の概要について説明する。図４は、照明装置１００が発光している様子を表している図である。
【００３６】
図４に示されるように、照明装置１００は、面発光モジュール２００＿１〜２００＿４を含む。面発光モジュール２００＿１〜２００＿４の各々は、後述する定電流源２１０に接続された電源経路６０１に並列に接続されている。また、面発光モジュール２００＿１〜２００＿４の各々は、定電流源２１０と基準電位との間に並列接続された発光ユニット１０＿１〜１０＿４を含む。基準電位は、たとえば、グランド電位である。
【００３７】
照明装置１００は、面発光モジュール２００＿１〜２００＿４を選択するための同期信号を生成し、面発光モジュール２００＿１〜２００＿４のそれぞれに当該同期信号を送信する。面発光モジュール２００＿１〜２００＿４の各々は、当該同期信号による自モジュールの選択に応答して、定電流源２１０から基準電位までの複数の経路のうちの１つを順次導通させて、発光ユニット１０＿１〜１０＿４を順次発光させる。
【００３８】
より具体的には、照明装置１００は、最初に、面発光モジュール２００＿１を選択するための同期信号を生成する。面発光モジュール２００＿１〜２００＿４は、当該同期信号を受け付ける。面発光モジュール２００＿１〜２００＿４の発光制御回路の各々は、当該発光制御部を識別する識別情報を記憶しており、面発光モジュール２００＿１は、自モジュールを選択するための当該同期信号を受け付けると、面発光モジュール２００＿１の発光ユニット１０＿１を発光させる（図４の発光状態（Ａ））。その後、面発光モジュール２００＿１は、発光ユニット１０＿１を発光させてから一定時間が経過後に発光ユニット１０＿１を消灯し、面発光モジュール２００＿１の発光ユニット１０＿２を発光させる（図４の発光状態（Ｂ））。同様に、面発光モジュール２００＿１は、発光ユニット１０＿３，１０＿４を順次発光させる。
【００３９】
次に、照明装置１００は、面発光モジュール２００＿２を選択するための同期信号を生成する。面発光モジュール２００＿１〜２００＿４は、当該同期信号を受け付ける。面発光モジュール２００＿２は、当該同期信号を受け付けると、面発光モジュール２００＿２の発光ユニット１０＿１を発光させる（図４の発光状態（Ｃ））。その後、面発光モジュール２００＿１は、発光ユニット１０＿１を発光させてから一定時間が経過後に発光ユニット１０＿１を消灯し、面発光モジュール２００＿２の発光ユニット１０＿２を発光させる（図４の発光状態（Ｄ））。同様に、面発光モジュール２００＿２は、発光ユニット１０＿３，１０＿４を順次発光させる。
【００４０】
その後、照明装置１００は、面発光モジュール２００＿３を選択するための同期信号を生成する。面発光モジュール２００＿３は、自モジュールを選択するための同期信号を受け付けると、面発光モジュール２００＿３の発光ユニット１０＿１〜１０＿４を順次点灯する。
【００４１】
その後、照明装置１００は、面発光モジュール２００＿４を選択するための同期信号を生成する。面発光モジュール２００＿４は、自モジュールを選択するための同期信号を受け付けると、面発光モジュール２００＿４の発光ユニット１０＿１〜１０＿４を順次点灯する（図４の発光状態（Ｅ）（Ｆ））。
【００４２】
照明装置１００は、面発光モジュール２００＿１〜２００＿４の選択を一順すると、再度、面発光モジュール２００＿１〜２００＿４を順次選択する。照明装置１００は、たとえば、発光ユニット１０＿１〜１０＿４のそれぞれを１００Ｈｚ以上で発光させる。このように高速に発光ユニット１０＿１〜１０＿４を駆動することで、人の目には照明装置１００全体が発光しているように見える。
【００４３】
（基本的構成）
図５を参照して、照明装置１００の概要についてさらに説明する。図５は、第１の実施の形態に従う照明装置１００の基本的な構成を示す回路図である。
【００４４】
照明装置１００は、生成部５１０と、面発光モジュール２００＿１〜２００＿４とを含む。面発光モジュール２００＿１〜２００＿４の各々は、発光制御部５２０と、スイッチ部５３０と、発光ユニット１０＿１〜１０＿４とを含む。
【００４５】
生成部５１０は、面発光モジュール２００＿１〜２００＿４のうちの１つを順次選択するための同期信号を生成する。生成部５１０は、生成した同期信号を面発光モジュール２００＿１〜２００＿４に出力する。
【００４６】
発光制御部５２０は、同期信号による自モジュールの選択に応答して、自モジュールに対応するスイッチ部５３０の駆動を開始して、発光ユニット１０＿１〜１０＿４に順次電流を印加する。このとき、発光制御部５２０は、後述する電源経路６０１からグランド電位６２０（基準電位）までのそれぞれの経路を導通させる時間が互いに同じになるようにスイッチ部５３０を駆動する。
【００４７】
スイッチ部５３０は、発光制御部５２０からの信号に応じて、発光ユニット１０＿１〜１０＿４の、電源経路６０１からグランド電位６２０（基準電位）までのそれぞれの経路を個別に導通または遮断することができる。
【００４８】
面発光モジュール２００＿１〜２００＿４の各々は、同期信号に応答して電源経路からグランド電位までの複数の経路のうちの１つを順次導通させるため、印加された電流が分流することがない。このため、当該複数の経路にそれぞれ介挿された発光ユニット１０＿１〜１０＿４のそれぞれには一定の電流が印加される。これにより、照明装置１００は、並列接続された発光ユニットの各々の輝度差を低減することができる。また、同期信号により各発光モジュールを順次駆動することが可能になるため、他の発光モジュールを拡張することが容易になる。
【００４９】
＜面発光モジュール２００Ａ＞
図６および図７を参照して、第１の実施の形態に従う面発光モジュール２００Ａの構成について説明する。図６は、面発光モジュール２００Ａにおける発光面の反対側の面を示す平面図である。図６に示される面発光モジュール２００Ａは、図４に示される面発光モジュール２００＿１〜２００＿４をより詳細に示したものである。また、図６には、照明装置１００に含まれる複数の面発光モジュールのうちの１つの面発光モジュール２００Ａが示されている。図７は、図６中のＶＩＩ−ＶＩＩ線に沿った矢視断面図である。なお、面発光モジュール２００Ａに含まれる構成のうち、図２に示される面発光モジュール２０と同様の構成については説明を繰り返さない。
【００５０】
図６および図７に示されるように、面発光モジュール２００Ａは、発光ユニット１０と、保持部材１１０と、基板１２０と、配線部材１６１と、定電流源２１０とを含む。定電流源２１０は、保持部材１１０の外部に配置される。これにより、面発光モジュール２００Ａの厚みＬは、定電流源２１０が発光面の裏側の面上に配置された場合に比べて薄くすることができる。
【００５１】
定電流源２１０は、電極部材１７１（陽極）と電極部材１７２（陰極）とに電気的に接続される。上述したように、各電極部材１７１は互いに電気的に接続され、各電極部材１７２は互いに電気的に接続される。これにより、各発光ユニットは並列接続される。
【００５２】
＜面発光モジュール２００Ｂ＞
図８を参照して、面発光モジュール２００Ａの変形例に従う面発光モジュール２００Ｂについて説明する。図８は、面発光モジュール２００Ｂにおける発光面の反対側の面を示す平面図である。
【００５３】
面発光モジュールに含まれる発光ユニットの数は、必ずしも４個である必要はなく、さらに多くの発光ユニットを組み合わせることが可能である。一例として、図８に示されるように、１６個の発光ユニットを組み合わせた場合の例について説明する。面発光モジュール２００Ｂは、発光ユニット１０＿１Ａ〜１０＿４Ｄと、定電流源２１０と、発光制御回路３１０とを含む。
【００５４】
典型的には、発光ユニット１０＿１Ａ〜１０＿４Ｄは、行列状に配置されている。また、発光ユニット１０＿１Ａ〜１０＿４Ｄは、電源経路とグランド電位との間に並列接続される。生成部５１０により生成された同期信号が面発光モジュール２００Ｂを選択した場合に、面発光モジュール２００Ｂの発光制御回路３１０は、発光ユニット１０＿１Ａ〜１０＿４Ｄを順次発光させる。
【００５５】
（回路構成）
図９を参照して、面発光モジュール２００Ｂについてさらに説明する。図９は、面発光モジュール２００Ｂの回路図である。
【００５６】
照明装置１００は、電圧源６１１と、定電流源２１０と、面発光モジュール２００Ｂとを備える。電圧源６１１は、定電流源２１０と一体に構成されてもよい。面発光モジュール２００Ｂは、定電流源２１０と基準電位（グランド電位６２０）との間に電気的に接続される。これにより、電流が面発光モジュール２００Ｂに流れる。また、グランド電位６１０とグランド電位６２０とは同電位である。
【００５７】
面発光モジュール２００Ｂは、スイッチ素子ＳＷ＿１〜ＳＷ＿４と、スイッチ素子ＳＷ＿Ａ〜ＳＷ＿Ｄと、発光ユニット１０＿１Ａ〜１０＿４Ｄと、発光制御回路３１０とを含む。
【００５８】
点Ｐ１は、発光ユニット１０＿１Ａ〜１０＿１Ｄの定電流源２１０側の一端（カソード）と、スイッチ素子ＳＷ＿１との接点である。点Ｐ２は、発光ユニット１０＿２Ａ〜１０＿２Ｄの定電流源２１０側の一端（カソード）と、スイッチ素子ＳＷ＿２との接点である。点Ｐ３は、発光ユニット１０＿３Ａ〜１０＿３Ｄの定電流源２１０側の一端（カソード）と、スイッチ素子ＳＷ＿３との接点である。点Ｐ４は、発光ユニット１０＿４Ａ〜１０＿４Ｄの定電流源２１０側の一端（カソード）と、スイッチ素子ＳＷ＿４との接点である。
【００５９】
点ＰＡは、発光ユニット１０＿１Ａ〜１０＿４Ａのグランド電位６２０側の一端（アノード）と、スイッチ素子ＳＷ＿Ａとの接点である。点ＰＢは、発光ユニット１０＿１Ｂ〜１０＿４Ｂのグランド電位６２０側の一端（アノード）と、スイッチ素子ＳＷ＿Ｂとの接点である。点ＰＣは、発光ユニット１０＿１Ｃ〜１０＿４Ｃのグランド電位６２０側の一端（アノード）と、スイッチ素子ＳＷ＿Ｃとの接点である。点ＰＤは、発光ユニット１０＿１Ｄ〜１０＿４Ｄのグランド電位６２０側の一端と、スイッチ素子ＳＷ＿Ｄとの接点である。
【００６０】
スイッチ素子ＳＷ＿１〜ＳＷ＿４は、定電流源２１０に電気的に接続された電源経路６０１に対して並列に接続される。典型的には、スイッチ素子ＳＷ＿１〜ＳＷ＿４（第１群のスイッチ素子）は、行列状に配置された複数の発光ユニットのそれぞれの列に対応付けられている。すなわち、第１群のスイッチ素子の各々は、対応する列に配置された複数の発光ユニットの一端（カソード）を一括して電源経路６０１に接続可能に構成されている。
【００６１】
スイッチ素子ＳＷ＿Ａ〜ＳＷ＿Ｄは、グランド電位６２０に対して並列に接続される。典型的には、スイッチ素子ＳＷ＿Ａ〜ＳＷ＿Ｄ（第２群のスイッチ素子）は、行列状に配置された複数の発光ユニットのそれぞれの行に対応付けられている。すなわち、第２群のスイッチ素子の各々は、対応する行に配置された複数の発光ユニットの他端（アノード）をグランド電位６２０に接続可能に構成されている。
【００６２】
より具体的には、スイッチ素子ＳＷ＿１は、電源経路６０１と点Ｐ１との間に介挿される。スイッチ素子ＳＷ＿２は、電源経路６０１と点Ｐ２との間に介挿される。スイッチ素子ＳＷ＿３は、電源経路６０１と点Ｐ３との間に介挿される。スイッチ素子ＳＷ＿４は、電源経路６０１と点Ｐ４との間に介挿される。スイッチ素子ＳＷ＿Ａは、グランド電位６２０と点ＰＡとの間に介挿される。スイッチ素子ＳＷ＿Ｂは、グランド電位６２０と点ＰＢとの間に介挿される。スイッチ素子ＳＷ＿Ｂは、グランド電位６２０と点ＰＢとの間に介挿される。スイッチ素子ＳＷ＿Ｂは、グランド電位６２０と点ＰＢとの間に介挿される。なお、スイッチ素子ＳＷ＿Ａ〜ＳＷ＿Ｄは、発光制御回路３１０に実装されてもよいし、別の回路上実装されてもよい。
【００６３】
発光ユニット１０＿１Ａ〜１０＿４Ｄは、電源経路６０１とグランド電位６２０との間に並列接続される。より具体的には、発光ユニット１０＿１Ａは、点Ｐ１と点ＰＡとの間に介挿される。発光ユニット１０＿１Ｂは、点Ｐ１と点ＰＢとの間に介挿される。発光ユニット１０＿１Ｃは、点Ｐ１と点ＰＣとの間に介挿される。発光ユニット１０＿１Ｄは、点Ｐ１と点ＰＤとの間に介挿される。発光ユニット１０＿２Ａは、点Ｐ２と点ＰＡとの間に介挿される。発光ユニット１０＿２Ｂは、点Ｐ２と点ＰＢとの間に介挿される。発光ユニット１０＿２Ｃは、点Ｐ２と点ＰＣとの間に介挿される。発光ユニット１０＿２Ｄは、点Ｐ２と点ＰＤとの間に介挿される。発光ユニット１０＿３Ａは、点Ｐ３と点ＰＡとの間に介挿される。発光ユニット１０＿３Ｂは、点Ｐ３と点ＰＢとの間に介挿される。発光ユニット１０＿３Ｃは、点Ｐ３と点ＰＣとの間に介挿される。発光ユニット１０＿３Ｄは、点Ｐ３と点ＰＤとの間に介挿される。発光ユニット１０＿４Ａは、点Ｐ４と点ＰＡとの間に介挿される。発光ユニット１０＿４Ｂは、点Ｐ４と点ＰＢとの間に介挿される。発光ユニット１０＿４Ｃは、点Ｐ４と点ＰＣとの間に介挿される。発光ユニット１０＿４Ｄは、点Ｐ４と点ＰＤとの間に介挿される。
【００６４】
＜面発光モジュール２００Ｃ＞
図１０を参照して、面発光モジュール２００Ｂの変形例に従う面発光モジュール２００Ｃについて説明する。図１０は、面発光モジュール２００Ｃの外観を示すための図である。
【００６５】
定電流源２１０は、面発光モジュール２００Ｂ（図９参照）においては、スイッチ素子ＳＷ＿１〜ＳＷ＿４に電気的に接続される吐き出し型の電源として示されていた。本変形例に従う面発光モジュール２００Ｃにおいては、図１０に示されるように、定電流源２１０は、スイッチ素子ＳＷ＿Ａ〜ＳＷ＿Ｄに電気的に接続される吸い込み型の電源として構成されてもよい。スイッチ素子ＳＷ＿Ａ〜ＳＷ＿Ｄは、電圧源６１１が作る基準電位と定電流源２１０との間に接続されている。
【００６６】
（タイミングチャート）
図１１を参照して、図９に示される点Ｐ１〜Ｐ４，ＰＡ〜ＰＤのそれぞれの時間と電流値との関係について説明する。図１１は、面発光モジュール２００Ｂのタイミングチャートを示す図である。
【００６７】
発光制御回路３１０は、スイッチ素子ＳＷ＿１〜ＳＷ４（以下、「第１のスイッチ素子」ともいう。）の１つと、スイッチ素子ＳＷ＿Ａ〜ＳＷ＿Ｄ（以下、「第２のスイッチ素子」ともいう。）のうちの１つとの複数の組み合わせのうちの順次選択される組み合わせに対応する第１のスイッチ素子および第２のスイッチ素子を駆動する。典型的には、発光制御回路３１０は、第１のスイッチ素子および第２のスイッチ素子のうちのいずれか一方の駆動（ＯＦＦ→ＯＮ）を一順する毎に他方のスイッチ素子のうちの１つを順次駆動（ＯＦＦ→ＯＮ）する。
【００６８】
より具体的には、時間ｔ１Ａにおいて、発光制御回路３１０は、スイッチ素子ＳＷ＿１を駆動（ＯＦＦ→ＯＮ）して、電源経路６０１と点Ｐ１との間の経路を導通状態にする。スイッチ素子ＳＷ＿１は、予め定められた期間（時間ｔ１Ａから時間ｔ２Ａまで）ＯＮされる。また、時間ｔ１Ａにおいて、発光制御回路３１０は、スイッチ素子ＳＷ＿Ａを駆動（ＯＦＦ→ＯＮ）して、点ＰＡとグランド電位６２０との間の経路を導通状態にする。スイッチ素子ＳＷ＿Ａは、予め定められた期間（時間ｔ１Ａから時間ｔ１Ｂまで）ＯＮされる。これにより、定電流源２１０から出力された電流が点Ｐ１と点ＰＡとの間を流れ、発光ユニット１０＿１Ａが発光する。
【００６９】
時間ｔ１Ｂにおいて、発光制御回路３１０は、スイッチ素子ＳＷ＿Ａを駆動（ＯＮ→ＯＦＦにする）。これにより、発光ユニット１０＿１Ａは消灯する。また、時間ｔ１Ｂにおいて、発光制御回路３１０は、スイッチ素子ＳＷ＿Ｂを駆動（ＯＦＦ→ＯＮ）して、点ＰＢとグランド電位６２０との間の経路を導通状態にする。スイッチ素子ＳＷ＿Ｂは、予め定められた期間（時間ｔ１Ｂから時間ｔ１Ｃまで）ＯＮされる。これにより、定電流源２１０から出力された電流は点Ｐ１と点ＰＢとの間を流れ、発光ユニット１０＿１Ｂは発光する。
【００７０】
以下、発光制御回路３１０は、同様に、スイッチ素子ＳＷ＿ＢをＯＦＦして、スイッチ素子ＳＷ＿ＣをＯＮする。その後、発光制御回路３１０は、同様に、スイッチ素子ＳＷ＿ＣをＯＦＦして、スイッチ素子ＳＷ＿ＤをＯＮする。
【００７１】
時間ｔ２Ａにおいて、発光制御回路３１０は、スイッチ素子ＳＷ＿１を駆動（ＯＮ→ＯＦＦにする）。これにより、電源経路６０１と点Ｐ１との間は非導通状態になる。また、時間ｔ２Ａにおいて、発光制御回路３１０は、スイッチ素子ＳＷ＿２を駆動（ＯＦＦ→ＯＮ）して、電源経路６０１と点Ｐ２との間の経路を導通状態にする。スイッチ素子ＳＷ＿２は、予め定められた期間（時間ｔ２Ａから時間ｔ３Ａまで）ＯＮされる。また、時間ｔ２Ａにおいて、発光制御回路３１０は、スイッチ素子ＳＷ＿Ａを駆動（ＯＦＦ→ＯＮ）して、グランド電位６２０と点ＰＡとの間の経路を導通状態にする。これにより、定電流源２１０から出力された電流は点Ｐ２と点ＰＡとの間を流れ、発光ユニット１０＿２Ａは発光する。
【００７２】
以下、発光制御回路３１０は、同様にスイッチ素子ＳＷ＿Ｂ〜ＳＷ＿Ｄを順次駆動（ＯＦＦ→ＯＮ）し、発光ユニット１０＿２Ｂ〜１０＿２Ｄを順次発光させる。
【００７３】
その後、発光制御回路３１０は、スイッチ素子ＳＷ＿３を駆動（ＯＦＦ→ＯＮ）して、さらに、スイッチ素子ＳＷ＿Ａ〜ＳＷ＿Ｄを順次駆動（ＯＦＦ→ＯＮ）する。これにより、発光制御回路３１０は、発光ユニット１０＿３Ａ〜１０＿３Ｄを順次発光させる。
【００７４】
その後、発光制御回路３１０は、スイッチ素子ＳＷ＿４を駆動（ＯＦＦ→ＯＮ）して、さらに、スイッチ素子ＳＷ＿Ａ〜ＳＷ＿Ｄを順次駆動（ＯＦＦ→ＯＮ）する。これにより、発光制御回路３１０は、発光ユニット１０＿４Ａ〜１０＿４Ｄ順次を発光させる。
【００７５】
発光制御回路３１０は、このように各スイッチ素子の駆動の繰り返しを数十ヘルツ以上の周波数で行なう。また、電流は分流することがないため、発光ユニット１０＿１Ａ〜１０＿４Ｄの各々は同時に発光することがない。このため、発光ユニット１０＿１Ａ〜１０＿４Ｄの各々には一定の電流が印加され、常に一定の明るさで発光する。
【００７６】
また、発光ユニット１０＿１Ａ〜１０＿４Ｄの各々は、図示されるように、一定の電流でＰＷＭ（Pulse  Width  Modulation）駆動される。ＰＷＭ方式での駆動は、電流値を調整する調光方式に比べて、発光ユニットの色度を一定に保つことができる。
【００７７】
なお、発光ユニット１０＿１Ａ〜１＿４Ｄの各々が発光する順番は特に制限されない。たとえば、発光制御回路３１０は、スイッチ素子ＳＷ＿１〜ＳＷ＿４の駆動（ＯＦＦ→ＯＮ）を一順する毎に、スイッチ素子ＳＷ＿Ａ〜ＳＷ＿Ｄの１つを駆動（ＯＦＦ→ＯＮ）してもよい。また、このように列または行の一端から他端へ順次発光する順番でなくてもよい。
【００７８】
また、図１１に示される期間Ｔにおいては、いずれの発光ユニットも発光していない。発光制御回路３１０は、スイッチ素子ＳＷ＿Ａ〜ＳＷ＿Ｄの各々を駆動（ＯＦＦ→ＯＮ）する時間を、期間Ｔを越えない範囲で一定に長くすることで、各発光ユニットの輝度を上げることができる。逆に、発光制御回路３１０は、スイッチ素子ＳＷ＿Ａ〜ＳＷ＿Ｄの各々を駆動（ＯＦＦ→ＯＮ）する時間を、一定に短くすることで（この場合、期間Ｔは長くなる）、各発光ユニットの輝度を下げることができる。
【００７９】
＜面発光モジュール２００Ｄ＞
図１２を参照して、面発光モジュール２００Ａの変形例に従う面発光モジュール２００Ｄについて説明する。図１２は、本願発明変形例に従う面発光モジュール２００Ｄの外観を示すための図である。
【００８０】
図８に示される面発光モジュール２００Ｂのように、必ずしも、複数の発光ユニットが正方形状（４行×４列）に配置される必要はない。たとえば、図１２に示される面発光モジュール２００Ｂのように、発光ユニット１０は、長方形状（たとえば、８行×２列）に配置されてもよい。また、発光ユニット１０は、他の配置で組み立てられてもよい。発光ユニット１０の各々は、他の発光ユニット１０の１つと隣接するように配置されればよい。
【００８１】
＜照明装置１００＞
図１３を参照して第１の実施の形態に従う照明装置１００の一例について説明する。図１３は、照明装置１００の外観を示すための図である。
【００８２】
照明装置１００は、定電流源２１０と、定電流源に接続された電源経路に並列接続された面発光モジュール２００＿１〜２００＿４と、信号ライン７０２〜７０４とを含む。同期信号を生成するための生成部５１０（図５参照）は、面発光モジュール２００＿１〜２００＿４の発光制御回路３１０＿１〜３１０＿４のいずれか１つに組み込まれている。以下、発光制御回路３１０＿１が同期信号を生成する場合を例に挙げて説明する。
【００８３】
信号ライン７０２は、発光制御回路３１０＿１と発光制御回路３１０＿２とを電気的に接続する。信号ライン７０３は、発光制御回路３１０＿１と発光制御回路３１０＿３とを電気的に接続する。信号ライン７０４は、発光制御回路３１０＿２と発光制御回路３１０＿４とを電気的に接続する。
【００８４】
発光制御回路３１０＿１は、面発光モジュール２００＿１〜２００＿４のうちの１つを順次選択するための同期信号を信号ライン７０２〜７０４を介して面発光モジュール２００＿２〜２００＿４に送信する。典型的には、発光制御回路３１０＿１は、面発光モジュール２００＿１に隣接する面発光モジュール２００＿２の発光制御回路３１０＿２と、面発光モジュール２００＿１に隣接する面発光モジュール２００＿３の発光制御回路３１０＿３に同期信号を送信する。また、発光制御回路３１０＿２は、面発光モジュール２００＿２に隣接する面発光モジュール２００＿４の発光制御回路３１０＿４に受信した同期信号を送信する。
【００８５】
発光制御回路３１０＿１〜３１０＿４の各々は、当該発光制御部を識別する識別情報を記憶し、同期信号が識別情報に一致する場合に、当該発光制御部に対応する発光ユニット１０を順次に発光させる。発光制御回路３１０＿１〜３１０＿４の各々は、同期信号に応答して順次動作する。発光制御回路３１０＿１〜３１０＿４の各々の動作については、上述の通りであるので説明を繰り返さない。
【００８６】
（回路構成）
図１４を参照して、照明装置１００についてさらに説明する。図１４は、照明装置１００の回路図である。面発光モジュール２００＿１〜２００＿４の各々は、定電流源２１０に接続された電源経路６０１に並列接続されている。
【００８７】
上述したように、信号ライン７０２は、発光制御回路３１０＿１と発光制御回路３１０＿２とを電気的に接続する。信号ライン７０３は、発光制御回路３１０＿１と発光制御回路３１０＿３とを電気的に接続する。信号ライン７０４は、発光制御回路３１０＿２と発光制御回路３１０＿４とを電気的に接続する。
【００８８】
面発光モジュール２００＿１〜２００＿４のその他の回路構成については、図９に示される面発光モジュール２００Ｂと同様であるので説明を繰り返さない。
【００８９】
以上のようにして、複数の発光モジュールに信号ラインを配線し、各発光モジュール間で同期をとることで、各発光モジュールの各発光ユニットが同時に発光させずに、安定した輝度で照明することが可能になる。また、１つの定電流源で複数の発光ユニット（たとえば、８行×８列＝６４個）をＰＷＭ駆動することが可能になるので電源の大型化を抑制することができる。
【００９０】
（タイミングチャート）
図１５を参照して、図１４に示される点Ｐ１〜Ｐ４，ＰＡ〜ＰＤのそれぞれの時間と電流値との関係について説明する。図１５は、照明装置１００のタイミングチャートを示す図である。
【００９１】
図１５に示されるように、生成部５１０は、面発光モジュール２００＿１〜２００＿４のうちの１つを選択するための同期信号を周期的に発生する。なお、本実施の形態では、面発光モジュール２００＿１→２００＿２→２００＿３→２００＿４→２００＿１・・・のように全ての面発光モジュールに対して周期的に同期信号を送信しているが、同期信号は、必ずしも周期的である必要はなく、たとえば、一部の面発光モジュールに対しては連続的（面発光モジュール２００＿１→２００＿１→２００＿１・・・）に送信されてもよい。本実施の形態では、生成部５１０は、周波数が異なるクロック信号８０１〜８０４を一定時間毎に発生する。当該同期信号は、発光制御回路３１０＿１〜３１０＿４の各々の各々に送信される。
【００９２】
発光制御回路３１０＿１〜３１０＿４の各々は、当該発光制御部を識別する識別情報を記憶している。発光制御回路３１０＿１〜３１０＿４は、互いに異なる識別情報を記憶する。当該識別情報は、たとえば、発光制御回路３１０＿１〜３１０＿４の各々を示すＩＤ（Identification）などである。発光制御回路３１０＿１〜３１０＿４の各々は、同期信号を受信すると、当該同期信号が自モジュールを指定するものであるか否かを判断する。
【００９３】
以下、発光制御回路３１０＿１〜３１０＿４のそれぞれに、ＩＤ：１〜ＩＤ：４のそれぞれが割り当てられている場合を例に挙げて説明する。発光制御回路３１０＿１〜３１０＿４の各々は、同期信号の１パルス目を受信してから予め定められた時間内に受信するパルスの数が、自発光制御回路のＩＤに等しいか否かを判断する。たとえば、発光制御回路３１０＿１〜３１０＿４の各々が２パルスのクロック信号８０２を受信した場合、ＩＤ：２の発光制御回路３１０＿２が駆動する。発光制御回路３１０＿２は、駆動することで、当該同期信号を受信してから期間Ｔ２の間に、面発光モジュール２００＿２に含まれる発光ユニットを順次駆動する。なお、発光制御回路３１０＿２の動作については、図９において示される発光制御回路３１０と同様であるので説明を繰り返さない。
【００９４】
発光制御回路３１０＿１〜３１０＿４の各々は、一定時間毎に送信される同期信号に応答して動作するため、発光ユニット１０＿１Ａ〜１０＿４Ｄに印加される電流は、分流することがない。すなわち、発光ユニットのうちの２つ以上が、同時に発光することはない。また、すべての発光ユニットには、同じ強さの電流が同じ時間だけ印加される。このため、各発光ユニットの輝度差（発光ムラ）を低減することできる。
【００９５】
なお、照明装置１００に含まれる面発光モジュールの数は、図示されるように４つに限定されない。照明装置１００に含まれる面発光モジュールの数は、２つ、３つ、または５つ以上であってもよい。
【００９６】
［第２の実施の形態］
＜照明装置１００Ａ＞
図１６を参照して第２の実施の形態に従う照明装置１００Ａについて説明する。本実施の形態に従う照明装置１００Ａにおいては、面発光モジュールの各々の形状が第１の実施の形態に従う照明装置１００と異なる。その他の点については、第１の実施の形態に従う照明装置１００と同様であるので説明を繰り返さない。
【００９７】
図１６は、本実施の形態に従う照明装置１００Ａの外観を示すための図である。図１６に示されるように、面発光モジュール２００＿１〜２００＿４の各々は、第１の実施の形態に従う照明装置１００のように、面発光モジュール２００＿１〜２００＿４の各々に含まれる発光ユニットは、正方形状（４行×４列）に配置される必要はない。たとえば、面発光モジュール２００＿１〜２００＿４の各々に含まれる発光ユニットは、図１６に示されるように、長方形状（たとえば、８行×２列）に配置されてもよい。
【００９８】
これにより、照明装置１００Ａは、発光制御回路３１０＿１〜３１０＿４の各々を、第１の実施の形態に従う照明装置１００よりも近付けて配置することが可能になる。すなわち、信号ラインを短くすることができ、より容易に照明装置１００を拡張することが可能になる。
【００９９】
なお、照明装置１００Ａにおいては、８行×２列の発光ユニットを含む面発光モジュール２００＿１〜２００＿４が正方形状（８行×８列）になるように配置されているが、面発光モジュール２００＿１〜２００＿４は、長方形状になるように配置されてもよい。発光モジュールの各々は、他の発光モジュールの１つと隣接するように配置されればよい。
【０１００】
［第３の実施の形態］
＜照明装置１００Ｂ＞
図１７を参照して第３の実施の形態に従う照明装置１００Ｂについて説明する。本実施の形態に従う照明装置１００Ｂは、発光制御回路が面発光モジュールの外部に配置される点で第２の実施の形態に従う照明装置１００Ａと異なる。その他の点については、第２の実施の形態に従う照明装置１００Ａと同様であるので説明を繰り返さない。
【０１０１】
図１７は、本実施の形態に従う照明装置１００Ｃの外観を示すための図である。照明装置１００Ｃは、発光制御回路３１０＿１〜３１０＿４を、複数の発光ユニット１０の外部に配置している。このように、光制御回路を面発光モジュールの面上（厚み方向）ではなく、複数の発光ユニット１０の外部に配置することにより、照明装置１００Ｃをさらに薄型化することができる。
【０１０２】
［第４の実施の形態］
＜照明装置１００Ｃ＞
図１８を参照して第４の実施の形態に従う照明装置１００Ｃについて説明する。本実施の形態に従う照明装置１００Ｃは、発光ユニットが複数の面状の発光素子を有する点で第１の実施の形態に従う照明装置１００と異なる。その他の点については、第１の実施の形態に従う照明装置１００と同様であるので説明を繰り返さない。
【０１０３】
図１８は、第４の実施の形態に従う照明装置１００Ｃの回路図である。面発光モジュール２００＿１〜２００＿４の各々は、スイッチ素子ＳＷ＿１〜ＳＷ＿４を含む。スイッチ素子ＳＷ＿１〜ＳＷ＿４のそれぞれは、電源経路６０１からグランド電位６２０までのそれぞれの経路に１つずつ介挿されている。
【０１０４】
面発光モジュール２００＿１〜２００＿４は、各々、発光ユニット１０＿１〜１０＿４を有する。
【０１０５】
各面発光モジュールの発光ユニット１０＿１は、発光素子１１＿１Ａ〜１１＿１Ｄを有する。発光素子１１＿１Ａ〜１１＿１Ｄは、スイッチ素子ＳＷ＿１とグランド電位６２０との間に直列に接続される。発光ユニット１０＿２は、発光素子１１＿２Ａ〜１１＿２Ｄを有する。発光素子１１＿２Ａ〜１１＿２Ｄは、スイッチ素子ＳＷ＿２とグランド電位６２０との間に直列に接続される。発光ユニット１０＿３は、発光素子１１＿３Ａ〜１１＿３Ｄを有する。発光素子１１＿３Ａ〜１１＿３Ｄは、スイッチ素子ＳＷ＿３とグランド電位６２０との間に直列に接続される。発光ユニット１０＿４は、発光素子１１＿４Ａ〜１１＿４Ｄを有する。発光素子１１＿４Ａ〜１１＿４Ｄは、スイッチ素子ＳＷ＿４とグランド電位６２０との間に直列に接続される。
【０１０６】
発光制御回路３１０は、同期信号による自モジュールの選択に応答して、自モジュールに対応する複数のスイッチ素子の１つを順次駆動する。たとえば、生成部５１０により生成された同期信号が面発光モジュール２００＿２を選択した場合には、面発光モジュール２００＿２に含まれる発光制御回路３１０は、面発光モジュール２００＿２に含まれるスイッチ素子ＳＷ＿１〜ＳＷ＿４を順次駆動（ＯＦＦ→ＯＮ）する。この場合、発光素子のそれぞれは、直列接続されているため、定電流源２１０から出力される電流は、分流することがない。このため、発光ユニット１０＿１〜１０＿４は、同時に点灯することはない。また、発光ユニット１０＿１〜１０＿４には、同じ強さの電流が印加される。このため、各発光ユニットの輝度差（発光ムラ）を低減することできる。
【０１０７】
また、発光モジュールの数および発光ユニットの数を増加した場合、各発光ユニットの発光周期が長くなる。これにより、照明がちらつく場合がある。照明装置１００Ｃは、発光ユニットに含まれる直列接続された発光素子を単位として発光ユニットを順次発光させるので、発光ユニットに含まれる複数の発光素子を並列に接続した場合に比べて各発光ユニットの発光周期を短くすることができる。すなわち、照明のちらつきを低減することができる。
【０１０８】
［照明装置１００Ａ〜１００Ｄの制御構造］
図１９を参照して、第１〜第４の実施の形態に従う照明装置１００Ａ〜１００Ｄの制御構造について説明する。図１９は、照明装置１００Ａ〜１００Ｄが実行する処理の一部を表わすフローチャートである。図１９の処理は、照明装置１００Ａ〜１００Ｄの発光制御回路３１０（図８参照）がプログラムを実行することにより実現される。他の局面において、処理の一部が、他の回路素子、その他のハードウェアによって実行されてもよい。
【０１０９】
以下では、照明装置１００Ａ〜１００Ｄに備えられる面発光モジュールの数が４つである場合の制御構造について説明する。なお、面発光モジュールの数が３つ以下または５つ以上である場合には、後述するステップＳ１１０，Ｓ１２０，Ｓ１３０，Ｓ１４０の自モジュールの判断処理と、後述するステップＳ１１２，Ｓ１２２，Ｓ１３２，Ｓ１４２の自モジュール内の発光ユニットを順次発光させる処理とが面発光モジュールの数に応じて設けられる。
【０１１０】
ステップＳ１０２において、発光制御回路３１０は、上述の生成部５１０（図５参照）として、面発光モジュール２００＿１〜２００＿４のうちの１つを順次選択するための同期信号を生成する。
【０１１１】
ステップＳ１１０において、発光制御回路３１０は、面発光モジュール２００＿１が選択されたか否かを判断する。発光制御回路３１０は、面発光モジュール２００＿１が選択されたと判断した場合（ステップＳ１１０においてＹＥＳ）、制御をステップＳ１１２に切り替える。そうでない場合には（ステップＳ１１０においてＮＯ）、発光制御回路３１０は、制御をステップＳ１２０に切り替える。ステップＳ１１２において、発光制御回路３１０は、面発光モジュール２００＿１内の発光ユニットを順次発光させる。
【０１１２】
ステップＳ１２０において、発光制御回路３１０は、面発光モジュール２００＿２が選択されたか否かを判断する。発光制御回路３１０は、面発光モジュール２００＿２が選択されたと判断した場合（ステップＳ１２０においてＹＥＳ）、制御をステップＳ１２２に切り替える。そうでない場合には（ステップＳ１２０においてＮＯ）、発光制御回路３１０は、制御をステップＳ１３０に切り替える。ステップＳ１２２において、発光制御回路３１０は、面発光モジュール２００＿２内の発光ユニットを順次発光させる。
【０１１３】
ステップＳ１３０において、発光制御回路３１０は、面発光モジュール２００＿３が選択されたか否かを判断する。発光制御回路３１０は、面発光モジュール２００＿３が選択されたと判断した場合（ステップＳ１３０においてＹＥＳ）、制御をステップＳ１３２に切り替える。そうでない場合には（ステップＳ１３０においてＮＯ）、発光制御回路３１０は、制御をステップＳ１４０に切り替える。ステップＳ１３２において、発光制御回路３１０は、面発光モジュール２００＿３内の発光ユニットを順次発光させる。
【０１１４】
ステップＳ１４０において、発光制御回路３１０は、面発光モジュール２００＿４が選択されたか否かを判断する。発光制御回路３１０は、面発光モジュール２００＿４が選択されたと判断した場合（ステップＳ１４０においてＹＥＳ）、制御をステップＳ１４２に切り替える。そうでない場合には（ステップＳ１４０においてＮＯ）、発光制御回路３１０は、ステップＳ１０２の処理を再び実行する。ステップＳ１４２において、発光制御回路３１０は、面発光モジュール２００＿４内の発光ユニットを順次発光させる。
【０１１５】
ステップＳ１５０において、発光制御回路３１０は、上述の各実施の形態に従う処理を終了するか否かを判断する。たとえば、発光制御回路３１０は、照明装置１００Ａ〜１００Ｄの電源が切られた場合に、当該処理を終了する。発光制御回路３１０は、当該処理を終了すると判断した場合（ステップＳ１５０においてＹＥＳ）、当該処理を終了する。そうでない場合には（ステップＳ１５０においてＮＯ）、発光制御回路３１０は、再び制御をステップＳ１０２に戻す。
【０１１６】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１１７】
１０，１０＿１Ａ〜１０＿４Ｄ  発光ユニット、１１＿１Ａ〜１１＿４Ｄ  発光素子、２０，２００，２００Ａ〜２００Ｄ  面発光モジュール、５０，１００，１００Ａ〜１００Ｃ  照明装置、１１０  保持部材、１２０  基板、１３１〜１３４，１４１，１５２，  コネクタ、１５０，３１０  発光制御回路、１６１  配線部材、１７１，１７２  電極部材、１７３，１７４  電極取出部、１７５，１７６  棒状部、１９１，１９２，６０１  電源経路、２１０  定電流源、３２０  ケーブル、５１０  生成部、５２０  発光制御部、５３０  スイッチ部、６２０  グランド電位、７０２〜７０４  信号ライン、８０１〜８０４  クロック信号。
【要約】
多数の面発光モジュールからなる照明装置を構成した場合であっても、要求される電源容量を低減できる共に、その配置場所もコンパクト化できる照明装置を提供する。照明装置（１００）は、定電流源に接続された電源経路に並列接続された複数の面発光モジュールを備える。照明装置（１００）は、複数の面発光モジュールのうちの１つを順次選択する同期信号を生成する生成部（５１０）を備える。各面発光モジュールは、定電流源と基準電位との間に並列接続された複数の発光ユニットと、複数の発光ユニットの、定電流源と基準電位との間のそれぞれの経路を個別に導通または遮断するスイッチ部（５３０）と、スイッチ部（５３０）を駆動して、定電流源と基準電位との間の複数の経路のうちの１つを順次導通する発光制御部（５２０）とを含む。発光制御部（５２０）は、同期信号による自モジュールの選択に応答して対応するスイッチ部（５３０）の駆動を開始する。【図１】
0005812233.tif 000002
【図２】
0005812233.tif 000003
【図３】
0005812233.tif 000004
【図４】
0005812233.tif 000005
【図５】
0005812233.tif 000006
【図６】
0005812233.tif 000007
【図７】
0005812233.tif 000008
【図８】
0005812233.tif 000009
【図９】
0005812233.tif 000010
【図１０】
0005812233.tif 000011
【図１１】
0005812233.tif 000012
【図１２】
0005812233.tif 000013
【図１３】
0005812233.tif 000014
【図１４】
0005812233.tif 000015
【図１５】
0005812233.tif 000016
【図１６】
0005812233.tif 000017
【図１７】
0005812233.tif 000018
【図１８】
0005812233.tif 000019
【図１９】
0005812233.tif 000020